(57)【特許請求の範囲】
【請求項１】
印字用紙に沿って移動可能なキャリッジに、印字用紙に向けてインク滴を吐出するインクジェット式印字ヘッドを装着し、またその印字ヘッドに供給するインクを収容するインクカートリッジを着脱可能に装着したインクジェットプリンタにおいて、前記印字ヘッド、インクカートリッジを含むキャリッジを収容し、前記インクカートリッジをキャリッジに対して交換可能にする開口と、該開口を開閉可能に覆うように設けた開閉カバーと、前記カバーの開閉を検出する検出手段と、前記検出手段が開閉カバーの開状態を検出した状態で、前記開口とその開口の一端外方の位置でキャリッジを覆う部分を有する外装ケースの前記開口の一端外方の位置でキャリッジを覆う部分から開口に移動したキャリッジに装着された前記印字ヘッドのノズルの開放状態の経過時間を計時する計時手段と、インクジェットプリンタの動作を制御する制御手段を備え、前記制御手段は、前記計時手段による所定時間の計時により、前記キャリッジを移動させ、保護キャップで印字ヘッドを覆うことを特徴とするインクジェットプリンタ。
【請求項２】
前記カートリッジの着脱を検出する着脱検出手段をさらに備え、
前記計時手段による所定時間内に前記着脱検出手段によりカートリッジの着脱が検出されない場合、前記制御手段は、パージ処理を伴わず、前記キャリッジを印字ヘッドが保護キャップに対応する位置に移動させることを特徴とする請求項１に記載のインクジェットプリンタ。
【請求項３】
前記着脱検出手段によりカートリッジの着脱が検出されて、操作キーの押下、もしくは前記計時手段による所定時間の計時され、且つ前記検知手段が開閉カバーの閉鎖を検知すると、前記キャリッジをパージ位置へ移動させてパージ処理することを特徴とする請求項１又は２に記載のインクジェットプリンタ。
【請求項４】
前記検出手段が開閉カバーの開状態を検出した状態で、前記開口の一端外方の位置で外装ケースに覆われた部分から開口に移動させる手動操作キーをさらに備え、
前記計時手段は、手動操作キーがオンされてからの時間を計時することを特徴とする請求項１乃至３いずれか１項に記載のインクジェットプリンタ。
【請求項５】
前記開口の一端外方の位置で外装ケースに覆われた部分は、前記印字ヘッドが保護キャップに対応した位置であり、該位置の外装ケースは着脱可能な蓋部材で構成され、該蓋部材が取り外された状態では、前記開口と連続する補助開口を有することを特徴とする請求項１乃至４いずれか１項に記載のインクジェットプリンタ。
【発明の詳細な説明】
【０００１】
【発明の属する技術分野】
本発明は、インクジェットプリンタ、特にキャリッジ上に装着したインクカートリッジを交換可能にしたインクジェットプリンタに関する。
【０００２】
【従来の技術および発明が解決しようとする課題】
一般に、キャリッジ上にインクカートリッジを装着したものは、外装ケースに、キャリッジの移動範囲全体にわたって開口が形成されており、インクカートリッジを交換する際、その開口をとおしてインクカートリッジをキャリッジに対して着脱することができる。しかしこのような構造のものでは、印字ヘッドの乾燥を防ぐため保護キャップと対応する位置にあるキャリッジに不用意に触れ、キャリッジを動かしてしまったり、その他の構成部品にも不用意に触れることがあり、好ましくない。
【０００３】
そこで、特公平７−１２６６０号公報に記載されているように、キャリッジのホームポジションに対応する位置にのみ外装ケースに蓋で開閉可能な開口を形成し、キャリッジがホームポジションで停止している状態で、蓋を開放してインクカートリッジを交換するようにしたものがある。
【０００４】
しかし、インクカートリッジを交換した後、インクカートリッジ内のインクを印字ヘッドへ導くために、印字ヘッド側から負圧によりインクを吸引するパージ処理を行う必要がある。このため、インクカートリッジを交換する際には、予めプリンタの電源が入っていることが好ましく、上記公報に記載されたもののようにキャリッジがホームポジションで停止している場合には、電源が切れていることが多く、この状態で、インクカートリッジを交換しても所期のパージ処理を行うことができない。この種の誤操作は気付くことが少なく、印字ヘッドに正常にインクが供給されないことになる。
【０００５】
そこで、停止中には、キャリッジが不用意に触れない位置にあり、インクカートリッジを交換する際に、電源を入れてキャリッジを所定位置まで移動させるように構成し、交換後のパージ処理を確実に実行することが考えられる。しかしこのようにすると、インクカートリッジ交換位置へキャリッジを移動させるという操作のために、操作キーの数が増えたり、２種類のキーを同時に押すなど特殊なキー操作が必要になり、誤操作を起こす可能性が高くなる。
【０００６】
本発明は、キー操作によりキャリッジを不用意に触れない位置からインクカートリッジを交換する所定位置まで移動させるものにおいて、印字ヘッドの乾燥を防ぐものである。
【０００７】
【課題を解決するための手段および発明の効果】
上記課題を解決するために、印字用紙に沿って移動可能なキャリッジに、印字用紙に向けてインク滴を吐出するインクジェット式印字ヘッドを装着し、またその印字ヘッドに供給するインクを収容するインクカートリッジを着脱可能に装着したインクジェットプリンタにおいて、前記印字ヘッド、インクカートリッジを含むキャリッジを収容し、前記インクカートリッジをキャリッジに対して交換可能にする開口と、該開口を開閉可能に覆うように設けた開閉カバーと、前記カバーの開閉を検出する検出手段と、前記検出手段が開閉カバーの開状態を検出した状態で、前記開口とその開口の一端外方の位置でキャリッジを覆う部分を有する外装ケースの前記開口の一端外方の位置でキャリッジを覆う部分から開口に移動したキャリッジに装着された前記印字ヘッドのノズルの開放状態の経過時間を計時する計時手段と、インクジェットプリンタの動作を制御する制御手段を備え、前記制御手段は、前記計時手段による所定時間の計時により、前記キャリッジを移動させ、保護キャップで印字ヘッドを覆う構成とする。
【０００８】
この構成により、タイマーが所定の計時時間を経過すると、インクカートリッジの交換位置にあるキャリッジを保護キャップで印字ヘッドを覆う位置へ移動させ、印字ヘッドの乾燥を防ぐ。
【０００９】
【００１０】
【００１１】
【００１２】
【００１３】
【００１４】
また、前記開口の一端外方の前記外装ケースに覆われる位置に、前記印字ヘッドのインク吐出ノズルを覆う保護キャップを備え、インクジェットプリンタの停止時には前記保護キャップで印字ヘッドを覆う位置に前記キャリッジが移動しており、前記開閉カバーの開放時、前記手動操作キーの操作により前記制御装置の制御のもとに前記キャリッジが前記開口と対応する位置に移動する構成とすることで、インクジェットプリンタの停止時、印字ヘッドのインク吐出ノズルを保護キャップで覆う位置で外装ケースに覆われ、キャリッジを不用意に動かして印字ヘッドを乾燥させてしまうことがなくなる。
【００１５】
【００１６】
【発明の実施の形態】
以下、本発明を具体化したインクジェットプリンタを図面にしたがって説明する。
【００１７】
図３に示すようにこのプリンタは、印字用紙Ｓを搬送機構４０により印字機構５０の前面に搬送し、その印字用紙Ｓに所定の印字を行って排出口２０から排出する。印字用紙Ｓは、一定寸法の矩形状に裁断されたいわゆる単票用紙である。搬送機構４０は、多数の印字用紙を積層収容した用紙カセット４１と、そこから一枚ずつ送り出す給紙ローラ４２と、印字機構５０の上流側に位置する搬送ローラ対４３、４４と、印字機構５０の下流側に位置する排出ローラ対４５、４６とから構成される。用紙カセット４１から送られた印字用紙Ｓは、その先端を搬送ローラ対４３、４４にレジストされ、その後、印字機構５０に対応するまで送られ、印字機構５０が１行印字するごとに所定量ずつ送られる。印字された印字用紙Ｓは、排出ローラ対４５、４６により排出口２０から排出される。搬送機構４０の両ローラ対４３、４４と４５、４６間の搬送経路は、ほぼ４５度の角度で下降しながら前方へ向かうように傾斜している。
【００１８】
印字機構５０は、ガイドレール５１に沿って往復移動するキャリッジ５２と、キャリッジ５２に支持されたインクカートリッジ５３及び印字ヘッド５４から構成される。ガイドレール５１は、搬送機構４０で送られる印字用紙Ｓの幅方向、すなわち印字用紙Ｓの表面と平行でかつ印字用紙Ｓの送り方向と直交する方向に配置される。印字時には、キャリッジ５２が駆動源（例えばモータ）にて往復駆動されながら印字ヘッド５４により印字用紙Ｓに文字や図形が印字される。印字ヘッド５４はそのインク吐出ノズルからその下方を通過する印字用紙Ｓに向かってインク滴を吐出するインクジェット式のものである。インクカートリッジ５３は印字ヘッド５４へ供給するインクを収容する。本実施の形態は、カラー印字可能なプリンタであり、インクヘッド５４は各色に対応してインク吐出ノズルを有し、インクカートリッジ５３は各色に対応して存在する。印字ヘッド５４、インクカートリッジ５３は、インク吐出ノズルが上記搬送経路と直角に対応するように、ほぼ４５度の角度で下向きに傾斜して配置されている。
【００１９】
図９、１０に示すように印字ヘッド５４は箱形のホルダー５５に一体に支持されている。そのホルダーの左右両側の前方に設けられた突起５５ａが、キャリッジ５２に立ち上がった左右両側壁５６の溝５６ａに嵌合し、またホルダーの左右両側の後方に設けられた突起５５ｂが、キャリッジ５２に立ち上がった弾性爪５６ｂに引っかけられることで、ホルダー５５は印字ヘッド５４とともに、キャリッジ５２に着脱可能に装着される。インクカートリッジ５３はホルダー５５内に後方から挿入され、印字ヘッド５４にインクを供給可能に接続される。インクカートリッジ５３は、その接続状態にバネ５７で押圧保持される。
【００２０】
箱状のホルダー５５およびキャリッジの溝５６ａは、印字ヘッド５４に対して後方、すなわち後述する外装ケース１０の開口１１に向けて開口した形状をなしており、その外装ケースの開口１１をとおしてインクカートリッジ５３および印字ヘッド５４をキャリッジ５２に対して着脱可能に装着することができる。
【００２１】
図７は保護キャップ装置６０、パージ装置７０を示すもので、これらは、印字用紙Ｓの搬送経路の外であって、キャリッジ５２の一方の移動端と対応する位置に配置される。保護キャップ装置６０は、印字ヘッド５４の全吐出ノズルを密着して覆う保護キャップ６１と、その保護キャップを支持し軸６２に沿って摺動および揺動可能な支持部材６３とを備える。キャリッジ５２が印字用紙Ｓに対する印字領域を越えて移動してきたとき、支持部材６３の突出アーム６３ａに当接すると、図７に二点鎖線で示すように、支持部材６３がキャリッジ５２とともに摺動しながら傾斜カム６４に沿って印字ヘッド５４側へ揺動し、保護キャップ６１が印字ヘッド５４を覆う。キャリッジ５２が印字領域へ復帰すると、支持部材６３はバネ６５により、印字ヘッド５４から離れる。
【００２２】
パージ装置７０は、図示しない駆動源で回転されるカム７３により吸引キャップ７１を進退させ、印字ヘッド５４の各色のインク吐出ノズルごとにその吸引キャップを密着して、図示しないポンプにより発生した負圧でノズル内のインクを吸引する。さらにワイパーブレード７２を進退させ吸引後のノズルを払拭する。また、カム７３の回転により、ストッパ７４を進退させ、上記保護キャップ６１に印字ヘッド５４が密着した位置にキャリッジ５２をロックし、あるいはそのロックを解除する。
【００２３】
上記各装置、機構を覆う外装ケース１０は、前面に上記排出口２０を形成する開口を有し、上面に印字ヘッド５４、インクカートリッジ５３と対応する位置でキャリッジ５２の移動方向に横長に延びる開口１１を有する。開口１１は、図２に示すように、印字ヘッド５４が印字用紙と対応する印字領域の範囲にわたっているが、印字ヘッド５４が保護キャップ装置６０と対応する位置までは達していない。その後者位置には補助開口１１ａが、開口１１と連続形成され、その補助開口１１ａに蓋部材１２が着脱可能に装着されている。
【００２４】
蓋部材１２は、図８に示すように、前後すなわち補助開口１１ａを橋渡す方向の両端縁にそれぞれ突起１３、１４を有し、まずその一方の突起１４を補助開口１１ａの内縁に設けた凹所１６に引っかけ、次に蓋部材１２および外装ケース１０の弾性を利用して他方の突起１３を補助開口１１ａの他方の内縁の凹所１５に引っかけて装着される。蓋部材１２は下方への落ち込みに対して、補助開口１１ａの両内縁に設けた突部１７、１７によって受けられる。これにより、通常の使用状態において、印字ヘッド５４が保護キャップ装置６０と対応する位置ときには、蓋部材１２によって印字ヘッド５４、インクカートリッジ５３およびキャリッジ５２に不用意に手が触れることがないようにしている。
【００２５】
印字ヘッド５４の交換は、印字ヘッドと後述する制御装置との電気的な接続をともなうため印字の停止状態、すなわち印字ヘッド５４が保護キャップ６１と対応した位置で行う必要があり、そのときに、この蓋部材１２が取り外される。補助開口１１ａは開口１１と連続しているから、開口１１も交換作業のために手を入れる空間として利用でき、また開口１１から外の光が入ってくるから作業位置が明るくなり、作業しやすい。
【００２６】
外装ケース１０の上面には図２に示すように、開閉カバー２１がヒンジ２２のまわりに回動可能に装着されている。開閉カバー２１は、開口１１だけでなく、蓋部材１２を含む開口１１の周囲も開閉可能に覆っている。その開閉カバー２１に覆われる位置の外装ケース１０上にはスイッチの手動操作キー２４、２５が配置されている。
【００２７】
図４〜６は、そのスイッチ部分の構成を示すもので、オンライン・オフラインを切り換える手動操作キー２４、印字用紙の送りとインクカートリッジ交換位置へのキャリッジ移動とを制御する手動操作キー２５、および電源の入切状態、オンライン・オフライン状態、各色のインクの残量減少、その他の警報を表示する表示部２６からなる。
【００２８】
外装ケース１０内には、上記操作キー２４、２５に対応するスイッチ２７（一方のみ図示）、表示部２６のための発光ダイオード等の複数の表示器２８が基板２９上に設けられ、各操作キー２４、２５は外装ケース１０の孔３０をとおして上面に突出し、各表示器２８は孔３１をとおして上面に露出している。また開閉カバー２１にも、各操作キー２４、２５と対応する位置に孔３３、３４が、各表示器２８と対応する位置に複数の孔３５がそれぞれ形成され、各孔３５には透明な導光部材３５ａが挿入されている。
【００２９】
基板２９上には、開閉カバー２１の開閉を検出する検出器例えばスイッチ３２が設けられ、開閉カバー２１を閉鎖したとき、開閉カバー２１上の突起３６が孔３７に侵入してその検出器３２が操作されるようになっている。
【００３０】
したがって、開閉カバー２１を閉鎖しても、手動操作スイッチ２４、２５は孔３３、３４をとおして露出し、後述する制御装置の制御のもとにオンライン・オフラインを切り換え、あるいは印字用紙の挿入排出等の送りを制御し、また両キーを同時に押すことにより、キャリッジをパージ装置と対応する位置へ移動して強制的に各ノズルからインクを吸引するパージ処理を実行する。開閉カバー２１には、図４に示すように、そのための表示が施されている。開閉カバー２１を開放すると、検出器３２がそれを検出して後述する制御装置の制御のもとに手動操作キー２５に対応するスイッチの機能を、インクカートリッジの交換のためにキャリッジを移動させる機能に切り換える。開閉カバー２１に覆われる外装ケース１０上には、図５に示すようにそのための表示が施されている。
【００３１】
また表示器２８も、開閉カバー２１の開放時はもちろん閉鎖時でも孔３５をとおして見ることができる。
【００３２】
図１１は、本プリンタの概略の電気的構成を示すもので、制御装置８０は公知のＣＰＵ、ＲＯＭ、ＲＡＭおよびハードウエアロジックで構成された制御回路から構成され、Ｉ／Ｆ部をとおして受信したデータにもとづいて、印字ヘッド５２、搬送装置４０の駆動源としての紙送りモータ８１、キャリッジ５２の往復移動の駆動源としてのキャリッジモータ８２をそれぞれ制御して印字動作を実行する。また、制御装置８０は、スイッチ２７、開閉カバーの検出器３２、キャリッジ５２上に各インクカートリッジに対応して設けたインクカートリッジの着脱検出器８４およびインク残量検出器８３からの信号を受けて、上記印字動作の制御を含んで、パージ装置７０、表示器２８を制御する。着脱検出器８４、インク残量検出器８３は、公知のスイッチまたは電気接点から構成され、また表示器２８は各インクカートリッジごとに設けられている。
【００３３】
図１２は、開閉カバー２１の開閉にともなう制御装置８０の制御内容を示すフローチャートで、開閉カバー２１を開放する（Ｓ１：Yes ）と、制御装置８０は印字中であれば、その印字動作を停止し、キャリッジ５２を保護キャップ６１で印字ヘッド５４を覆う位置へ移動するとともにパージ装置７０の駆動源を少し駆動してストッパ７４を突出させ、キャリッジをその位置でロックする（Ｓ２）。印字中でなければ、キャリッジは既に同様の位置にある。この位置はもちろん蓋部材１２に上方を覆われる位置である。また同時に、制御装置８０は、手動操作キー２５に対応するスイッチ２７の機能を切り換え、インクカートリッジを交換する位置へキャリッジ５２を移動させる機能を割り当てる。
【００３４】
その後、制御装置８０は開閉カバー２１の開閉と、スイッチ２７の操作を監視し、直ちに開閉カバー２１を閉鎖することなく（Ｓ３：No）、手動操作キー２５でスイッチ２７がオンされる（Ｓ４：Yes ）と、制御装置８０はキャリッジモータ８２を駆動してキャリッジ５２を図２に二点鎖線で示すように、インクカートリッジの交換位置、すなわち開口１１と対応する位置へ移動させるとともに、制御装置内部のタイマーに計時動作を開始させる（Ｓ５）。
【００３５】
この状態で、インクカートリッジの交換が行われず（Ｓ６：No）、手動操作キー２５でスイッチ２７もオンされない（Ｓ８：No）ままタイマーの所定の計時時間（例えば５分）を経過する（Ｓ１０：Yes ）と、制御装置８０は、キャリッジ５２を保護キャップ６１で印字ヘッド５４を覆う位置へ移動し（Ｓ１１）、印字ヘッド５４の乾燥を防ぐ。
【００３６】
所定のインクカートリッジ５３をキャリッジから取り外して新しいものと交換すると、キャリッジ５２上の着脱検出器８４がこれを検出し（Ｓ６：Yes ）、制御装置８０は、フラグｆ＝１を立てる（Ｓ７）。この後、手動操作キー２５を操作しないで（Ｓ８：No）タイマーが所定の計時時間を計時する（Ｓ１０：Yes ）と、制御装置８０は、キャリッジ５２を保護キャップ６１で印字ヘッド５４を覆う位置へ移動する（Ｓ１１）。インクカートリッジ５３を交換した後、手動操作キー２５でスイッチ２７をオンする（Ｓ８：Yes ）と、制御装置８０の制御のもとにキャリッジ５２をパージ装置と対応する位置へ移動して各ノズルからインクを吸引し新しいカートリッジのインクを印字ヘッド５４に導くためのパージ処理を実行し（Ｓ９）、その後キャリッジ５２を保護キャップ６１で印字ヘッド５４を覆う位置へ移動する（Ｓ１１）。インクカートリッジ５３を交換後、できるだけ早く印字動作を開始したいときは手動操作キー２５でスイッチ２７をオンするが、そうでないときには、タイマーが所定の計時時間を計時するのを待って次の動作にはいる。
【００３７】
開閉カバー２１が閉鎖状態にある（Ｓ１：No）、あるいは開閉カバー２１を開放後閉鎖する（Ｓ３：Yes ）と、制御装置８０は、手動操作キー２５に対応するスイッチ２７の機能を切り換える（Ｓ１２）。インクカートリッジ５３を交換後、開閉カバー２１が閉鎖されると、フラッグｆ＝１となっている（Ｓ１３：Yes）から、制御装置８０は、キャリッジ５２をパージ装置と対応する位置へ移動して各ノズルからインクを吸引し新しいカートリッジのインクを印字ヘッド５４に導くためのパージ処理を実行する（Ｓ１４）。インクカートリッジ５３を交換後このパージ処理をしていない場合（Ｓ８：No、Ｓ１０：Yes ）があるから、ここで実行するのである。
【００３８】
インクカートリッジ５３を交換することなく、開閉カバー２１が閉鎖されると、フラッグｆ＝１となっていない（Ｓ１３：No）から、制御装置８０は、パージ処理をすることなくメインの印字処理ルーチンに戻る。
【００３９】
開閉カバー２１の閉鎖時には、印字データにしたがってキャリッジ５２を印字用紙に沿って移動させながら印字動作を実行し、また手動操作キー２５の操作により制御装置８０の制御のもとに印字用紙の挿入排出等の用紙送りを実行することができる。なお、開閉カバー２１の閉鎖時手動操作キー２５に対応するスイッチ２７に割り当てる機能としてはオンライン・オフラインの切換等、プリンタとして本来必要な機能に変えることもできる。
【００４０】
また、開閉カバー２１を開放したとき手動操作キー２５の操作により、キャリッジを開口１１の一端外方の蓋部材１２に覆われる位置から開口と対応する位置へ移動させるから、プリンタの停止時にはキャリッジ５２が印字ヘッド５４のインク吐出ノズルを保護キャップで覆う位置で蓋部材１２に覆われており、キャリッジを不用意に動かして印字ヘッドを乾燥させてしまうことがなくなる。しかも、インクカートリッジ５３を交換するためには開閉カバー２１を開放するから、その開放を検出して、通常他の機能を有する手動操作キー２５の機能を切り換えてキャリッジ５２をインクカートリッジ交換位置に移動させることができ、誤操作が少なくかつ少ない数のキーで所期の動作を実行することができる。
【００４１】
さらに開閉カバー２１上と、その開閉カバーに覆われる外装ケース１０上の位置に、手動操作キー２５が実行可能な機能をそれぞれ表示してあり、開閉カバーの閉鎖時、開放時ともそれぞれの表示にしたがって容易に所期の動作を実行することができる。なお、開閉カバー２１はキー２４、２５まで達しない長さとし、そのキーの機能表示のみその開閉カバー２１上と、開閉カバーに覆われる外装ケース１０上に設けられていればよい。
【００４２】
また、インク残量を表示する表示器２８を開閉カバー２１が開放および閉鎖のいずれの状態にあっても、見ることができるので、開閉カバー２１を開放した後でもインクが少なくなったことを確認でき、カートリッジの交換作業が容易となる。特に本プリンタのように複数のインクカートリッジがあるものでは、開閉カバーを開放した状態でも交換すべきインクカートリッジの種類を確認でき、誤ったインクカートリッジを交換してしまうことがない。本実施の形態では、開閉カバー２１に表示器２８に対応した孔を設けているが、表示器２８を開閉カバー２１に覆われない位置に配置して、開閉カバー２１の開放および閉鎖のいずれも見ることができるようにしてもよい。
【００４３】
なお、上記実施の形態において、インクカートリッジの着脱検出器８４および図１２のステップＳ６とＳ７を省略し、Ｓ４で手動操作キー２５を操作したならば、その後の開閉カバー２１の閉鎖によって必ずパージ処理を実行するように構成することもできる。
【図面の簡単な説明】
【図１】本発明を具体化したインクジェットプリンタの外観斜視図。
【図２】図１において開閉カバーを開放した状態の斜視図。
【図３】同インクジェットプリンタの縦断面図。
【図４】同インクジェットプリンタの手動操作キーおよび表示部の平面図。
【図５】図４において開閉カバーを開放した状態の平面図。
【図６】図４の６−６線断面図。
【図７】保護キャップ装置、パージ装置部分の平面図。
【図８】図２において蓋部材を取り外した状態の部分拡大斜視図。
【図９】キャリッジ、印字ヘッド、インクカートリッジ部分の拡大側面図。
【図１０】図９においてキャリッジ、印字ヘッド、インクカートリッジを分解した状態の側面図。
【図１１】本インクジェットプリンタの概略の電気的構成図。
【図１２】開閉カバーの開閉にともなう制御内容のフローチャート。
【符号の説明】
１０ 外装ケース
１１ 開口
２１ 開閉カバー
２５ 手動操作キー
２８ 表示器
３２ 検出器
５２ キャリッジ
５３ インクカートリッジ
５４ 印字ヘッド
６１ 保護キャップ
８０ 制御装置
【図１】
0003873327.tif 000002
【図２】
0003873327.tif 000003
【図３】
0003873327.tif 000004
【図４】
0003873327.tif 000005
【図５】
0003873327.tif 000006
【図６】
0003873327.tif 000007
【図７】
0003873327.tif 000008
【図８】
0003873327.tif 000009
【図９】
0003873327.tif 000010
【図１０】
0003873327.tif 000011
【図１１】
0003873327.tif 000012
【図１２】
0003873327.tif 000013